【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
複数のＲａｗ画像フレームから構成されるＲａｗ動画像データを記録する画像処理装置であって、
前記Ｒａｗ動画像データに含まれるＲａｗ画像フレームに対応する現像パラメータを生成する生成手段と、
前記Ｒａｗ動画像データと、前記Ｒａｗ動画像データに含まれるＲａｗ画像フレームに対して前記生成手段が生成した前記現像パラメータとを記録媒体に記録する記録手段と、
前記生成手段の動作と前記記録手段の動作とを制御する制御手段と、
を有し、
前記制御手段は、前記複数のＲａｗ画像フレームのうち予め定められた条件を満たす複数の第１のＲａｗ画像フレームに対応する現像パラメータと、前記複数のＲａｗ画像フレームのうち前記Ｒａｗ動画像データの最終画像フレームに相当し、且つ、前記予め定められた条件を満たさない最終Ｒａｗ画像フレームに対応する現像パラメータとが、前記Ｒａｗ動画像データとともに前記記録媒体に記録されるように前記生成手段及び前記記録手段を制御することを特徴とする画像処理装置。
【請求項２】
前記第１のＲａｗ画像フレームは、前記複数のＲａｗ画像フレームから予め定められた一定のフレーム間隔で抽出されたＲａｗ画像フレーム、又はシーンチェンジに対応するＲａｗ画像フレームであることを特徴とする請求項１に記載の画像処理装置。
【請求項３】
前記Ｒａｗ動画像データを生成する撮像手段を更に有し、
前記制御手段は、前記撮像手段が前記Ｒａｗ動画像データを生成している際にユーザから前記Ｒａｗ動画像データの生成を停止するように指示があった場合、前記撮像手段による前記Ｒａｗ動画像データの生成を停止させるとともに、前記撮像手段によって最後に生成されたＲａｗ画像フレームを前記最終Ｒａｗ画像フレームとして前記生成手段及び前記記録手段を制御することを特徴とする請求項１又は２に記載の画像処理装置。
【請求項４】
複数のＲａｗ画像フレームから構成されるＲａｗ動画像データを記録する画像処理装置であって、
前記複数のＲａｗ画像フレームのそれぞれに対応する複数の現像パラメータを生成する生成手段と、
前記Ｒａｗ動画像データと、前記複数のＲａｗ画像フレームのそれぞれに対して前記生成手段が生成した前記複数の現像パラメータとを記録媒体に記録する記録手段と、
前記複数のＲａｗ画像フレームのうち予め定められた条件を満たす複数の第１のＲａｗ画像フレームに対応する現像パラメータと、前記複数のＲａｗ画像フレームのうち前記Ｒａｗ動画像データの最終画像フレームに相当し、且つ、前記予め定められた条件を満たさない最終Ｒａｗ画像フレームに対応する現像パラメータとを除く現像パラメータを削除する削除手段と、
を有することを特徴とする画像処理装置。
【請求項５】
複数のＲａｗ画像フレームで構成され、前記複数のＲａｗ画像フレームのうち一部のＲａｗ画像フレームのそれぞれに対して現像パラメータが関連付けられているＲａｗ動画像データを第１のＲａｗ動画像データと第２のＲａｗ動画像データに分割する画像処理装置であって、
前記複数のＲａｗ画像フレームから、前記第１のＲａｗ動画像データの最終画像フレームに相当する最終Ｒａｗ画像フレーム又は前記第２のＲａｗ動画像データの先頭画像フレームに相当する先頭Ｒａｗ画像フレームを指定する指定手段と、
前記第１のＲａｗ動画像データの前記最終Ｒａｗ画像フレーム及び前記第２のＲａｗ動画像データの前記先頭Ｒａｗ画像フレームのそれぞれに対応する現像パラメータを、前記一部のＲａｗ画像フレームに対して関連付けられている現像パラメータを用いた補間処理により生成する生成手段と、
前記第１のＲａｗ動画像データの前記最終Ｒａｗ画像フレームと、当該最終Ｒａｗ画像フレームに対応する、前記生成手段によって生成された現像パラメータとを関連付け、且つ、前記第２のＲａｗ動画像データの前記先頭Ｒａｗ画像フレームと、当該先頭Ｒａｗ画像フレームに対応する、前記生成手段によって生成された現像パラメータとを関連付けて、前記Ｒａｗ動画像データを前記第１のＲａｗ動画像データと前記第２のＲａｗ動画像データとに分割する分割手段と、
を有することを特徴とする画像処理装置。
【請求項６】
前記生成手段は、前記第１のＲａｗ動画像データの前記最終Ｒａｗ画像フレーム及び前記第２のＲａｗ動画像データの前記先頭Ｒａｗ画像フレームのそれぞれに対応する現像パラメータを、前記一部のＲａｗ画像フレームのうち、前記指定手段によって指定されたＲａｗ画像フレームの直前のＲａｗ画像フレーム及び直後のＲａｗ画像フレームのそれぞれに対して関連付けられている現像パラメータを用いた補間処理により生成することを特徴とする請求項５に記載の画像処理装置。
【請求項７】
前記一部のＲａｗ画像フレームは、前記複数のＲａｗ画像フレームから予め定められたフレーム間隔で抽出されたＲａｗ画像フレーム、又はシーンチェンジに対応するＲａｗ画像フレームであることを特徴とする請求項５又は６に記載の画像処理装置。
【請求項８】
前記第１のＲａｗ動画像データの前記最終Ｒａｗ画像フレームに対応する現像パラメータ、及び、前記第２のＲａｗ動画像データの前記先頭Ｒａｗ画像フレームに対応する現像パラメータは、現像パラメータファイルに記録されることを特徴とする請求項５乃至７のうちいずれか１項に記載の画像処理装置。
【請求項９】
前記第１のＲａｗ動画像データの前記最終Ｒａｗ画像フレームに対応する現像パラメータは、第１のＲａｗ動画像ファイルに記録され、前記第２のＲａｗ動画像データの前記先頭Ｒａｗ画像フレームに対応する現像パラメータは、第２のＲａｗ動画像ファイルに記録されることを特徴とする請求項５乃至７のうちいずれか１項に記載の画像処理装置。
【請求項１０】
複数のＲａｗ画像フレームから構成されるＲａｗ動画像データを記録する画像処理装置の制御方法であって、
前記Ｒａｗ動画像データに含まれるＲａｗ画像フレームに対応する現像パラメータを生成する生成ステップと、
前記Ｒａｗ動画像データと、前記Ｒａｗ動画像データに含まれるＲａｗ画像フレームに対して前記生成ステップで生成した前記現像パラメータとを記録媒体に記録する記録ステップと、
前記生成ステップと前記記録ステップとを制御する制御ステップと、
を有し、
前記制御ステップでは、前記複数のＲａｗ画像フレームのうち予め定められた条件を満たす複数の第１のＲａｗ画像フレームに対応する現像パラメータと、前記複数のＲａｗ画像フレームのうち前記Ｒａｗ動画像データの最終画像フレームに相当し、且つ、前記予め定められた条件を満たさない最終Ｒａｗ画像フレームに対応する現像パラメータとが、前記Ｒａｗ動画像データとともに前記記録媒体に記録されるように前記生成ステップ及び前記記録ステップを制御することを特徴とする制御方法。
【請求項１１】
前記第１のＲａｗ画像フレームは、前記複数のＲａｗ画像フレームから予め定められた一定のフレーム間隔で抽出されたＲａｗ画像フレーム、又はシーンチェンジに対応するＲａｗ画像フレームであることを特徴とする請求項１０に記載の制御方法。
【請求項１２】
前記Ｒａｗ動画像データを生成するデータ生成ステップを更に有し、
前記制御ステップでは、前記データ生成ステップで前記Ｒａｗ動画像データを生成している際にユーザから前記Ｒａｗ動画像データの生成を停止するように指示があった場合、前記データ生成ステップにおける前記Ｒａｗ動画像データの生成を停止させるとともに、前記データ生成ステップで最後に生成されたＲａｗ画像フレームを前記最終Ｒａｗ画像フレームとして前記生成ステップ及び前記記録ステップを制御することを特徴とする請求項１０又は１１に記載の制御方法。
【請求項１３】
複数のＲａｗ画像フレームから構成されるＲａｗ動画像データを記録する画像処理装置の制御方法であって、
前記複数のＲａｗ画像フレームのそれぞれに対応する複数の現像パラメータを生成する生成ステップと、
前記Ｒａｗ動画像データと、前記複数のＲａｗ画像フレームのそれぞれに対して前記生成ステップで生成した前記複数の現像パラメータとを記録媒体に記録する記録ステップと、
前記複数のＲａｗ画像フレームのうち予め定められた条件を満たす複数の第１のＲａｗ画像フレームに対応する現像パラメータと、前記複数のＲａｗ画像フレームのうち前記Ｒａｗ動画像データの最終画像フレームに相当し、且つ、前記予め定められた条件を満たさない最終Ｒａｗ画像フレームに対応する現像パラメータとを除く現像パラメータを前記記録媒体から削除する削除ステップと、
を有することを特徴とする制御方法。
【請求項１４】
複数のＲａｗ画像フレームで構成され、前記複数のＲａｗ画像フレームのうち一部のＲａｗ画像フレームのそれぞれに対して現像パラメータが関連付けられているＲａｗ動画像データを第１のＲａｗ動画像データと第２のＲａｗ動画像データに分割する画像処理装置の制御方法であって、
前記複数のＲａｗ画像フレームから、前記第１のＲａｗ動画像データの最終画像フレームに相当する最終Ｒａｗ画像フレーム又は前記第２のＲａｗ動画像データの先頭画像フレームに相当する先頭Ｒａｗ画像フレームを指定する指定ステップと、
前記第１のＲａｗ動画像データの前記最終Ｒａｗ画像フレーム及び前記第２のＲａｗ動画像データの前記先頭Ｒａｗ画像フレームのそれぞれに対応する現像パラメータを、前記一部のＲａｗ画像フレームに対して関連付けられている現像パラメータを用いた補間処理により生成する生成ステップと、
前記第１のＲａｗ動画像データの前記最終Ｒａｗ画像フレームと、当該最終Ｒａｗ画像フレームに対応する、前記生成ステップで生成された現像パラメータとを関連付け、且つ、前記第２のＲａｗ動画像データの前記先頭Ｒａｗ画像フレームと、当該先頭Ｒａｗ画像フレームに対応する、前記生成ステップで生成された現像パラメータとを関連付けて、前記Ｒａｗ動画像データを前記第１のＲａｗ動画像データと前記第２のＲａｗ動画像データとに分割する分割ステップと、
を有することを特徴とする制御方法。
【請求項１５】
前記生成ステップでは、前記第１のＲａｗ動画像データの前記最終Ｒａｗ画像フレーム及び前記第２のＲａｗ動画像データの前記先頭Ｒａｗ画像フレームのそれぞれに対応する現像パラメータを、前記一部のＲａｗ画像フレームのうち、前記指定手段によって指定されたＲａｗ画像フレームの直前のＲａｗ画像フレーム及び直後のＲａｗ画像フレームのそれぞれに対して関連付けられている現像パラメータを用いた補間処理により生成することを特徴とする請求項１４に記載の制御方法。
【請求項１６】
前記一部のＲａｗ画像フレームは、前記複数のＲａｗ画像フレームから予め定められたフレーム間隔で抽出されたＲａｗ画像フレーム、又はシーンチェンジに対応するＲａｗ画像フレームであることを特徴とする請求項１４又は１５に記載の制御方法。
【請求項１７】
前記第１のＲａｗ動画像データの前記最終Ｒａｗ画像フレームに対応する現像パラメータ、及び、前記第２のＲａｗ動画像データの前記先頭Ｒａｗ画像フレームに対応する現像パラメータは、現像パラメータファイルに記録されることを特徴とする請求項１０乃至１６のうちいずれか１項に記載の制御方法。
【請求項１８】
前記第１のＲａｗ動画像データの前記最終Ｒａｗ画像フレームに対応する現像パラメータは、第１のＲａｗ動画像ファイルに記録され、前記第２のＲａｗ動画像データの前記先頭Ｒａｗ画像フレームに対応する現像パラメータは、第２のＲａｗ動画像ファイルに記録されることを特徴とする請求項１０乃至１６のうちいずれか１項に記載の制御方法。
【手続補正２】
【補正対象書類名】明細書
【補正対象項目名】００１１
【補正方法】変更
【補正の内容】
【００１１】
上記目的を達成するために、本発明の一側面としての画像処理装置は、複数のＲａｗ画像フレームから構成されるＲａｗ動画像データを記録する画像処理装置であって、前記Ｒａｗ動画像データに含まれるＲａｗ画像フレームに対応する現像パラメータを生成する生成手段と、前記Ｒａｗ動画像データと、前記Ｒａｗ動画像データに含まれるＲａｗ画像フレームに対して前記生成手段が生成した前記現像パラメータとを記録媒体に記録する記録手段と、前記生成手段の動作と前記記録手段の動作とを制御する制御手段と、を有し、前記制御手段は、前記複数のＲａｗ画像フレームのうち予め定められた条件を満たす複数の第１のＲａｗ画像フレームに対応する現像パラメータと、前記複数のＲａｗ画像フレームのうち前記Ｒａｗ動画像データの最終画像フレームに相当し、且つ、前記予め定められた条件を満たさない最終Ｒａｗ画像フレームに対応する現像パラメータとが、前記Ｒａｗ動画像データとともに前記記録媒体に記録されるように前記生成手段及び前記記録手段を制御することを特徴とする。